(57)【要約】【課題】  擬似餌に対する捕食者（魚又は、軟体動物）にいかに目立ち、興味を持たせ効率よく採餌行動を起こさせる擬似餌を提供できるか。【解決手段】  擬似餌本体に、グアニンハクを含む反射膜を施した魚形の眼と自然に近い動きをする触角を備え、その眼と触角に発光体の照明光を取り入れる構造とする。【選択図】図１
2005130842.tif 000002
【特許請求の範囲】
【請求項１】
ミジンコ形擬似餌本体（１）に網膜部分にグアニンハクを含む反射膜を施した魚形の眼（２）と触角（６）を頭部に設け、眼と触角の後部に発光体を配置し、発光体の照明光を眼のレンズ体と触角の透明な円錐体の中に光を強制的に取り入れる構造としたミジンコ形擬似餌
【請求項２】
「請求項１」の網膜部分に反射膜を施した魚形の眼（２）。
【請求項３】
「請求項１」の魚形の眼（３）。
【請求項４】
「請求項１」のエビ形の眼（４）。
【請求項５】
「請求項１」の虹彩部分が光る魚形の眼（５）。
【請求項６】
「請求項１」の擬似餌の触角（６）。
【発明の詳細な説明】
【技術分野】
【０００１】  本発明は、擬似餌に対する捕食者（魚又は軟体動物）の視覚による採餌行動を高めようとして作られたルアーやフライなどに使われる擬似餌に関するものである。
【背景技術】
【０００２】  擬似餌の種類は多種に及び、形、色、模様もその特徴をよくつかんだものが作られるようになり、水中での動き、バランスも改良が重ねられてきた。【０００３】（イ）擬似餌本体の一部の模様に紫外線を吸収して発色するフォトクロミック顔料をもって構成されている擬似餌。【特許文献１】特開２００２−６５１１５号公報（ロ）集魚用釣具として透明容器に青色発光ダイオードと電池を備えたイカ釣り用のツノ。【特許文献２】特開２０００−１８４８４０号公報  上記特許文献においては、擬似餌本体の光に関するもので、擬似餌の眼又は触角として特定するものはなかった。しかし、市販されている魚形のルアーの眼など精密に作られたものが有る。【０００４】  魚が採餌行動を起こす重要な要素である餌さになる生物の眼について説明した文献の一部を紹介する。
（ハ）ザレット（１９７２）の研究によるとネコゼミジンコの一種には、外骨格のツノ状伸長部をもち色素のついた眼の小さなモルフ（型）とツノがなく色素のついた大きな眼をもつモルフとがある。実験で確かめたところ魚類によく捕食されるのはツノなしの色素のついた眼の大きなモルフである。絶対サイズよりもむしろ色素のついた眼の大きさが見えやすさを決め、これがＲＤ（反応距離）に大きく関係している。【非特許文献１】佐原雄二著「魚の採餌行動」東京大学出版会１９８７年４月５日発行Ｐ４０
【０００５】  本発明は、擬似餌の眼を網膜部分にタペータムと呼ばれるグアニンが含まれた反射板を持つキンメダイの眼を取り入れたものである。キンメダイは眼が大きくこの反射板に光が当ると眼が金色に光るものである。ここからキンメダイの名が付いたとされている。
従来技術として擬似餌本体を発光体により光らす。又は反射塗料、蓄光染料を塗り光らすというものであった。
本発明は、擬似餌の眼に自然物質反射膜を設け、そこに光を当てることにより、生物の持つ最大のポイントである眼を強調させたものである。
【発明の開示】
【発明が解決しょうとする課題】
【０００６】  擬似餌における問題点は、遠くにある擬似餌に対する捕食者（魚又は軟体動物）にいかに目立ち、興味を持たせるか、そして近づいてきた捕食者に効率よく採餌行動を起こさせるかという点である。
【課題を解決しようとする課題】
【０００７】  上記問題点を解決するために、擬似餌の眼にキンメダイの眼を取り入れようとした。この眼にはグアニンを含む反射板がある、これに似たものが、タチウオのウロコ部分にあるグアニンハクである。
このグアニンハクを透明な樹脂質塗料と混合したものをガラス玉に塗り、その上にビスマス化合物を塗って千渉膜をつくり、更に防水塗膜を施す、これは人造真珠の製造法であるが、この人造真珠の表面反射膜を本発明擬似餌の眼に取り入れることにより生物の持つ眼に近づけ、その反射膜に発光体の発する照明光を強制的に当て反射光を擬似餌の眼のレンズ体を通し角膜部分より外部に放射するようにした。これにより遠くからもよく目立ち、反射膜に自然物質を使うことで、擬似餌の眼として最適なものになった。
【０００８】  本発明の擬似餌の触角６は、発光体からの照明光を取り入れることにより目立たせることを第一の目的とするが、この触角は、釣人のリール操作のしかたにより、リールを強く巻くと水の抵抗により触角の曲り方が大きくなり、竿のしゃくり操作などの動きに敏感に反応し、触角を持つ生物の動きに似せることができる。
【発明の効果】
【０００９】  魚の採餌行動については、経験則（育ってきた地域にあった餌を覚えていき餌さに似たものは一度口に含み、口の感覚器官により食べられないものと分かると吐き出すというあやふやさがある）が基本とされ、魚自身に確立された知識がなく、効果について確定的な結論を出すことは難しいが、本発明は生物の持つ眼の自然物質に近づけ、触角についても自然の動きに近づけることができ、そこに発光体から強制的に照明光を当てるため、昼釣りの深海部分又は、光の少ない夜釣りにおいて高釣果が出ることを期待する。
【発明を実施するための最良の形態】
【００１０】  本発明ミジンコ形擬似餌本体１を形成する材料は射出成形、移送成形加工法に適したエポキン樹脂、硬質ビニル樹脂など水に強く、硬く、加工がしやすく、着色可能なプラスチックを使う。この着色は発光体の光を本体部分から漏らさないようにするためである。
発光体の摘み部分７もこの着色した材料を使う。【００１１】  本発明擬似餌の眼２、３、４、５の材料はガラス、有幾ガラス、ポリスチレンなど透明度が高く、硬くて加工しやすいものを使う。【００１２】  本発明擬似餌の触角６の材料は、軟質ビニル樹脂、アクリル樹脂等の透明であり、柔らかく、弾性があるものを使う。【００１３】  発光体は、発光ダイオードを使用した場合の例を図１、図４に示した。
発光ダイオードの場合は基本として白色灯を使う、これは発光体の出す照明光が本発明擬似餌の眼２に施されたグアニンハクが含まれた反射膜に当った時現われる表面色と物体色を着色せず自然に引き出すためである。
擬似餌の眼３、４、５に関しては発光ダイオードの赤色、緑色、黄色灯を使う。又、白色灯の発光部分に色の付いたフィルターを取り付けいろいろな色の色光を作ってもよい。
この発光体（発光ダイオードとリチウム電池）を使用する場合は中型から大型の擬似餌に取り付けることが最適とし、小型の擬似餌に本発明の実施形態を取り入れるためには発光体の小型化が必要である。
【実施例１】
【００１４】  ミジンコ形擬似餌本体１に、眼、触角、発光体の取り付け位置を示した図１、図２、図３、図４を参照しながら「請求項１」の実施例を説明する。【００１５】  図１は、擬似餌本体の全体構成を一部断面にし、拡大して詳細を示したものである。
ミジンコ形擬似餌本体１に左右より眼を取り付ける穴１４と触角の差し込み穴１６を設ける。１４と１６の左右からの穴の交差する点を通過するように発光体及び電池の収納穴１５を擬似餌最前部より穴を設ける。擬似餌最前部にはネジ部１３を設ける。１４の穴に網膜部分に反射膜を施した魚形の眼２を差し込み接着剤で止める。１６の穴に触角６を差し込み接着剤で止める。【００１６】  発光体は、発光ダイオードを使用した場合の例を示す。
発光体カバー８は筒状容器で透明なプラスチックを使用し、これに発光体１１を収納するが、１４と１６の穴が左右から交差する点に発光体の発光部分がくるようにセットする。その下部に電池のソケット９を取り付け接着剤で止め、そこに電池１２（リチウム電池）を差し込む。８、１１、９、１２を組み立てると発光体の摘み部分７の下部にある凸部分に８の上部を差し込み接着剤で止める。発光体の摘み部分７発光体にはネジ部１３が設けられＯリング１０を通しておく。最上部の摘み部分にはネジを回し易くするためのギザギザの凸凹を設ける。最後に擬似餌本体に設けられた発光体及び電池の収納穴１５にこれを差し込んでネジ部１３により止める。【００１７】  ここで本発明ミジンコ形擬似餌本体１について説明する。
この本体は、ミジンコのカイアシ類（カラヌス）をモデルにしたもので触角を前後に動かすことにより遊泳する。体は５節ほどに退化している甲穀類に属する。ミジンコにはめずらしい海生種であり、魚や軟体動物などの大型動物の重要な餌となる。【００１８】  図２と図３は、ミジンコ形擬似餌本体１の全体の外観を示したものである。
図４は、発光体１１と擬似餌の魚形の眼２と触角６の位置関係を断面図により示したものである。
図１７はフック止め金具、１８は道糸止め金具。１７と１８は止着リング部を外部に突出させた状態に埋設する。
【実施例２】
【００１９】  本発明擬似餌の眼２、３、４、５の眼の種類を図面を参照しながら説明する。
図５は、網膜部分に反射膜を施した魚の眼２を半断面にした詳細図である。
眼本体の虹彩部分から側面にかけて反射膜１９と網膜部分の反射膜２３を円形に塗布する。側面反射膜１９と網膜反射膜２３の間にすき間を設け、そこから発光体の照明光を取り入れるように作られたものである。【００２０】  魚形の眼２の照明光の進む方向は、照明光の入る隙間より入り、反射膜１９の虹彩部内面に当り反射し、網膜部分の反射膜２３に当り反射し眼の角膜部分より外部に放射される。【００２１】  図６は、眼本体に虹彩部分から側面にかけて反射膜１９を施した魚形の眼３の側面を半断面にした図である。
本体を凸レンズ形に作ったものである。ここで凸レンズの作用を簡単に説明する。
凸レンズに平行に入った光は焦点に集められ、その後光は散っていく。これは周知の作用であるが、太陽とか電灯からくる光のなかには、いろいろな波長の光が混じっているのでレンズにおける屈折率がちがうから焦点距離や焦点の位置も変ってくる。焦点距離が近い順に青色、黄色、赤色と色分け作用がありこれを色収差とよんでいる。
魚に対してこの作用はどう働くか不明だが、よい方に期待する。【００２２】  図７は、エビ形の眼４を示したもので、本体側面に反射膜２４と角膜部分にグアニンハク塗料の斑点模様２０を塗布したものである。【００２３】  図８は魚形の眼の虹彩部分に光を通す構造にしたものである。
魚形の眼の虹彩部分５を円筒形の透明なプラスチックで作り、その中心部を着色されたプラスチックで円柱形の魚の眼の芯２２をはめこんで接着剤で止める。【００２４】  以上本発明の擬似餌の眼２、３、４、５の本体は、全体を鏡面状に仕上げる。
この擬似餌の眼は、従来あるルアーやフライ又は新しいタイプの擬似餌に使用することが出来る。【００２５】  図９は、「請求項６」の擬似餌の触角６を、拡大して示したものである。
この材料は、透明なもので弾性があり加工しやすいものを使い、円錐形に作る。表面の触角の節２１の模様にグアニンハク塗料を塗布する。
この擬似餌の触角６は、従来あるルアーやフライ又は新しいタイプの擬似餌に使用出来る。
【産業上の利用可能性】  現在、多種類の擬似餌が市場に出ているが、従来あるルアーやフライ等に本発明の実施形態を取り入れるのは可能で、又この先新しいタイプの擬似餌が作られても利用可能である。
【図面の簡単な説明】
【００２６】
【図１】ミジンコ形擬似餌本体を縦長に置いた一部断面図（実施例１）
【図２】擬似餌本体を横長に置いた正面図（実施例１）
【図３】擬似餌本体を横長に置いた平面図（実施例１）
【図４】図３のＡ−Ａ断面（実施例１）
【図５】網膜部に反射膜を施した魚形の眼２の側面の半断面図（実施例２）
【図６】魚形の眼３の側面の半断面図（実施例２）
【図７】エビ形の眼４の側面の半断面図（実施例２）
【図８】虹彩部が光る魚形の眼５の側面の半断面図（実施例２）
【図９】触角６を横長に置いた平面図（実施例３）
【符号の説明】
【００２７】  １  ミジンコ形擬似餌本体
２  網膜部分に反射膜を施した魚形の眼
３  魚形の眼
４  エビ形の眼
５  虹彩部分が光る魚形の眼
６  触角
７  発光体の摘み部分
８  発光体カバー
９  電池のソケット
１０  Ｏリング
１１  発光体（発光ダイオード）
１２  電池（リチウム電池）
１３  ネジ部
１４  眼を取り付ける穴
１５  発光体及び電池の収納穴
１６  触角の差し込み穴
１７  フック止め金具
１８  道糸止め金具
１９  グアニンハク反射膜
２０  グアニンハク塗料の斑点模様
２１  触角の節
２２  魚形眼の芯
２３  網膜部分の反射膜
２４  エビ形の眼の反射膜
【図１】
2005130842.tif 000003
【図２】
2005130842.tif 000004
【図３】
2005130842.tif 000005
【図４】
2005130842.tif 000006
【図５】
2005130842.tif 000007
【図６】
2005130842.tif 000008
【図７】
2005130842.tif 000009
【図８】
2005130842.tif 000010
【図９】
2005130842.tif 000011